(57)【要約】【課題】無線通信システムにおけるＣＱＩ（Ｃｈａｎｎｅｌ  Ｑｕａｌｉｔｙ  Ｉｎｄｉｃａｔｏｒ）送信方法を提供する。【解決手段】前記方法は、ＣＱＩ報告如何を指示するＣＱＩ報告インジケータ、前記ＣＱＩに対する送信フォーマットを指示する送信フォーマットフィールド及び前記ＣＱＩ報告に使われるリソースブロックの個数を指示するリソース割当フィールドを含むアップリンクグラントをダウンリンクチャネル上に受信する段階、及び前記アップリンクグラントを用いてアップリンクチャネル上に前記ＣＱＩを送信する段階、を含む。【選択図】図５
2011510592.tif 000002
【特許請求の範囲】
【請求項１】
無線通信システムにおける端末によって実行されるＣＱＩ（Ｃｈａｎｎｅｌ  Ｑｕａｌｉｔｙ  Ｉｎｄｉｃａｔｏｒ）送信方法において、
ＣＱＩ報告如何を指示するＣＱＩ報告インジケータ、前記ＣＱＩに対する送信フォーマットを指示する送信フォーマットフィールド及び前記ＣＱＩ報告に使われるリソースブロックの個数を指示するリソース割当フィールドを含むアップリンクグラントをダウンリンクチャネル上に受信する段階；及び
前記アップリンクグラントを用いてアップリンクチャネル上に前記ＣＱＩを送信する段階；を含み、
前記ＣＱＩ報告インジケータは、前記ＣＱＩ報告を指示して、前記送信フォーマットフィールドは、ＵＬ−ＳＣＨ（ｕｐｌｉｎｋ  ｓｈａｒｅｄ  ｃｈａｎｎｅｌ）のための送信ブロックに使われるＭＣＳインデックスの集合である送信フォーマットテーブルから選択される一つの特定ＭＣＳインデックスを指示することを特徴とする方法。
【請求項２】
前記ＣＱＩ報告インジケータが前記ＣＱＩ報告を指示して、前記送信フォーマットフィールドが前記送信フォーマットテーブルから選択される前記特定ＭＣＳインデックスを指示して、前記リソース割当フィールドが閾値以下の値を有する場合、前記ＣＱＩが送信されることを特徴とする請求項１に記載の方法。
【請求項３】
前記閾値は４であり、前記ＣＱＩ報告に使われる前記リソースブロックの個数は４以下であることを特徴とする請求項２に記載の方法。
【請求項４】
前記ＣＱＩ報告インジケータの大きさは、１ビットであることを特徴とする請求項１に記載の方法。
【請求項５】
前記ＣＱＩ報告インジケータが前記ＣＱＩ報告を指示する場合、前記ＣＱＩ報告インジケータは１に設定されることを特徴とする請求項４に記載の方法。
【請求項６】
前記送信フォーマットフィールドが前記特定ＭＣＳインデックスを指示する場合、前記ＣＱＩの前記送信フォーマットは、ＱＰＳＫ（ｑｕａｄｒａｔｕｒｅ  ｐｈａｓｅ  ｓｈｉｆｔ  ｋｅｙｉｎｇ）を使用することを特徴とする請求項１に記載の方法。
【請求項７】
前記送信フォーマットテーブルは、３２ＭＣＳインデックスの前記集合であることを特徴とする請求項１に記載の方法。
【請求項８】
前記特定ＭＣＳインデックスは、２９であることを特徴とする請求項７に記載の方法。
【請求項９】
前記アップリンクチャネル上に送信ブロックが送信されないことを特徴とする請求項１に記載の方法。
【請求項１０】
前記ダウンリンクチャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）であり、前記アップリンクチャネルは、ＰＵＳＣＨ（Ｐｈｙｓｉｃａｌ  Ｕｐｌｉｎｋ  Ｓｈａｒｅｄ  Ｃｈａｎｎｅｌ）であることを特徴とする請求項１に記載の方法。
【請求項１１】
無線信号を送信及び受信するＲＦ（Ｒａｄｉｏ  Ｆｒｅｑｕｅｎｃｙ）部；及び
前記ＲＦ部と連結されて、
ＣＱＩ報告如何を指示するＣＱＩ報告インジケータ、前記ＣＱＩに対する送信フォーマットを指示する送信フォーマットフィールド及び前記ＣＱＩ報告に使われるリソースブロックの個数を指示するリソース割当フィールドを含むアップリンクグラントを受信して、
前記アップリンクグラントを用いて前記ＣＱＩを送信するプロセッサを含み、
前記ＣＱＩ報告インジケータは、前記ＣＱＩ報告を指示して、前記送信フォーマットフィールドは、ＵＬ−ＳＣＨのための送信ブロックに使われるＭＣＳインデックスの集合である送信フォーマットテーブルから選択される一つの特定ＭＣＳインデックスを指示することを特徴とする無線通信のための装置。
【請求項１２】
無線通信システムにおける基地局によって実行される非周期的ＣＱＩ報告要求方法において、
非周期的ＣＱＩ報告如何を指示するＣＱＩ報告インジケータ、前記非周期的ＣＱＩに対する送信フォーマットを指示する送信フォーマットフィールド及び前記非周期的ＣＱＩ報告に使われるリソースブロックの個数を指示するリソース割当フィールドを含むアップリンクグラントを生成する段階；及び
前記非周期的ＣＱＩ報告を要求するために、ダウンリンクチャネル上に前記アップリンクグラントを送信する段階；を含み、
前記ＣＱＩ報告インジケータは、前記非周期的ＣＱＩ報告を指示して、前記送信フォーマットフィールドは、ＵＬ−ＳＣＨのための送信ブロックに使われるＭＣＳインデックスの集合である送信フォーマットテーブルから選択される一つの特定ＭＣＳインデックスを指示することを特徴とする方法。
【発明の詳細な説明】
【技術分野】
【０００１】
本発明は、無線通信に関し、より詳しくは、無線通信システムにおけるＣＱＩ送信方法に関する。
【背景技術】
【０００２】
無線通信システムは、音声やデータなどのような多様な種類の通信サービスを提供するために広範囲に展開されている。一般的に、無線通信システムは、可用の無線リソースを共有して多重ユーザとの通信をサポートすることができる多重接続（ｍｕｌｔｉｐｌｅ  ａｃｃｅｓｓ）システムである。無線リソースの例としては、時間、周波数、コード、送信パワーなどがある。多重接続システムの例としては、ＴＤＭＡ（ｔｉｍｅ  ｄｉｖｉｓｉｏｎ  ｍｕｌｔｉｐｌｅ  ａｃｃｅｓｓ）システム、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｎｍｕｌｔｉｐｌｅ  ａｃｃｅｓｓ）システムなどがある。ＴＤＭＡシステムでは時間、ＦＤＭＡシステムでは周波数、ＣＤＭＡシステムではコード、ＯＦＤＭＡシステムでは副搬送波（ｓｕｂｃａｒｒｉｅｒ）及び時間が無線リソースである。
【０００３】
無線通信システムの目的は、複数のユーザが位置と移動性に関係なしに信頼可能な（ｒｅｌｉａｂｌｅ）通信をすることができるようにすることである。然しながら、無線チャネル（ｗｉｒｅｌｅｓｓ  ｃｈａｎｎｅｌ）は、経路減少（ｐａｔｈ  ｌｏｓｓ）、雑音（ｎｏｉｓｅ）、多重経路（ｍｕｌｔｉｐａｔｈ）によるフェーディング（ｆａｄｉｎｇ）現象、シンボル間干渉（ＩＳＩ、ｉｎｔｅｒｓｙｍｂｏｌ  ｉｎｔｅｒｆｅｒｅｎｃｅ）または端末の移動性によるドップラ効果（Ｄｏｐｐｌｅｒ  ｅｆｆｅｃｔ）などの非理想的な特性がある。従って、無線チャネルの非理想的特性を克服して、無線通信の信頼度（ｒｅｌｉａｂｉｌｉｔｙ）を高めるために多様な技術が開発されている。
【０００４】
ＡＭＣ（Ａｄａｐｔｉｖｅ  Ｍｏｄｕｌａｔｉｏｎ  ａｎｄ  Ｃｏｄｉｎｇ）は、無線通信の信頼度を高めるための技術である。無線通信システムは、ＡＭＣをサポートするためにＣＱＩ（Ｃｈａｎｎｅｌ  Ｑｕａｌｉｔｙ  Ｉｎｄｉｃａｔｏｒ）を使用することができる。ＣＱＩは、基地局と端末との間のチャネル状態に対する情報である。基地局は、端末から受信されるＣＱＩを用いて送信に使われるＭＣＳ（Ｍｏｄｕｌａｔｉｏｎ  ａｎｄ  Ｃｏｄｉｎｇ  Ｓｃｈｅｍｅ）を決定する。ＣＱＩを用いてチャネル状態が良いと判断されれば、基地局は、変調次数（ｍｏｄｕｌａｔｉｏｎ  ｏｒｄｅｒ）を高くする、或いは符号化率（ｃｏｄｉｎｇ  ｒａｔｅ）を高めて送信率を高めることができる。ＣＱＩを用いてチャネル状態がよくないと判断されれば、基地局は、変調次数を低くする、或いは符号化率を低くして送信率を低くすることができる。送信率を低くすれば、受信エラー率を低くすることができる。
【０００５】
ＣＱＩは、周期的に送信されることができる。ＣＱＩの周期的送信は、基地局から与えられる周期または予め指定された周期に応じて基地局からの別途の要求なしにＣＱＩを送信することである。周期的に送信する場合、ＣＱＩ情報量、変調方式、チャネル符号化方式などを予め定めることができる。この場合、ＣＱＩ送信に必要なシグナリングのオーバーヘッドを減らすことができる。然しながら、予め決まったＣＱＩ情報量より送信しなければならないＣＱＩ情報量が多いことがある。また、無線通信システムは、時変（ｔｉｍｅ  ｖａｒｉａｎｔ）システムであるため、チャネル状態は時間に応じて変わる。もし、ＣＱＩ送信周期が著しく長ければ、基地局は、変動されたチャネル状態を把握することができなくなる。この場合、基地局は、チャネル状態に合したＭＣＳを決定することができなくなる。これは、無線通信の信頼度を落として、全体システムの性能低下を引き起こすことができる。
【０００６】
従って、ＣＱＩ送信の柔軟性（ｆｌｅｘｉｂｉｌｉｔｙ）を高めるために、ＣＱＩは、周期的送信外にも非周期的に送信される必要がある。ＣＱＩの非周期的送信は、基地局からの要求に対する応答としてＣＱＩを送信することである。このとき、非周期的ＣＱＩ送信のための無線リソース、変調方式など、具体的な送信方法が問題になる。周期的ＣＱＩ送信のように送信方式を予め定めておけば、通信の柔軟性を落として、非周期的ＣＱＩ要求毎に無線リソース、変調方式などをシグナリングする場合、シグナリングオーバーヘッドが増加するためである。従って、効率的なＣＱＩ送信方法を提供する必要がある。
【発明の概要】
【発明が解決しようとする課題】
【０００７】
本発明が解決しようとする技術的課題は、無線通信システムにおけるＣＱＩ送信方法を提供することである。
【課題を解決するための手段】
【０００８】
一態様において、無線通信システムにおける端末によって実行されるＣＱＩ（Ｃｈａｎｎｅｌ  Ｑｕａｌｉｔｙ  Ｉｎｄｉｃａｔｏｒ）送信方法を提供する。前記方法は、ＣＱＩ報告如何を指示するＣＱＩ報告インジケータ、前記ＣＱＩに対する送信フォーマットを指示する送信フォーマットフィールド及び前記ＣＱＩ報告に使われるリソースブロックの個数を指示するリソース割当フィールドを含むアップリンクグラントをダウンリンクチャネル上に受信する段階、及び前記アップリンクグラントを用いてアップリンクチャネル上に前記ＣＱＩを送信する段階、を含み、前記ＣＱＩ報告インジケータは、前記ＣＱＩ報告を指示して、前記送信フォーマットフィールドは、ＵＬ−ＳＣＨ（ｕｐｌｉｎｋ  ｓｈａｒｅｄ  ｃｈａｎｎｅｌ）のための送信ブロックに使われるＭＣＳインデックスの集合である送信フォーマットテーブルから選択される一つの特定ＭＣＳインデックスを指示する。
【０００９】
他の態様において、無線通信のための装置を提供する。前記装置は、無線信号を送信及び受信するＲＦ（Ｒａｄｉｏ  Ｆｒｅｑｕｅｎｃｙ）部、及び前記ＲＦ部と連結されて、ＣＱＩ報告如何を指示するＣＱＩ報告インジケータ、前記ＣＱＩに対する送信フォーマットを指示する送信フォーマットフィールド及び前記ＣＱＩ報告に使われるリソースブロックの個数を指示するリソース割当フィールドを含むアップリンクグラントを受信して、前記アップリンクグラントを用いて前記ＣＱＩを送信するプロセッサを含み、前記ＣＱＩ報告インジケータは、前記ＣＱＩ報告を指示して、前記送信フォーマットフィールドは、ＵＬ−ＳＣＨのための送信ブロックに使われるＭＣＳインデックスの集合である送信フォーマットテーブルから選択される一つの特定ＭＣＳインデックスを指示する。
【００１０】
他の態様において、無線通信システムにおける基地局によって実行される非周期的ＣＱＩ報告要求方法を提供する。前記方法は、非周期的ＣＱＩ報告如何を指示するＣＱＩ報告インジケータ、前記非周期的ＣＱＩに対する送信フォーマットを指示する送信フォーマットフィールド及び前記非周期的ＣＱＩ報告に使われるリソースブロックの個数を指示するリソース割当フィールドを含むアップリンクグラントを生成する段階、及び前記非周期的ＣＱＩ報告を要求するために、ダウンリンクチャネル上に前記アップリンクグラントを送信する段階、を含み、前記ＣＱＩ報告インジケータは、前記非周期的ＣＱＩ報告を指示して、前記送信フォーマットフィールドは、ＵＬ−ＳＣＨのための送信ブロックに使われるＭＣＳインデックスの集合である送信フォーマットテーブルから選択される一つの特定ＭＣＳインデックスを指示する。
【発明の効果】
【００１１】
効率的なＣＱＩ送信方法を提供する。従って、全体システム性能を向上させることができる。
【図面の簡単な説明】
【００１２】
【図１】無線通信システムを示す。
【図２】３ＧＰＰ  ＬＴＥにおける無線フレーム構造の例を示す。
【図３】３ＧＰＰ  ＬＴＥにおけるダウンリンクサブフレーム構造の例を示す。
【図４】３ＧＰＰ  ＬＴＥにおけるアップリンクサブフレーム構造の例を示す。
【図５】本発明の一実施例に係るＣＱＩ送信方法を示す。
【図６】本発明の他の実施例に係るＣＱＩ送信方法を示す。
【図７】非周期的ＣＱＩ生成方法の例を示す。
【図８】周期的ＣＱＩ送信フォーマットと非周期的ＣＱＩ送信フォーマットとの差を示す。
【図９】無線通信のための装置を示すブロック図である。
【発明を実施するための形態】
【００１３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術によって具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であって、ダウンリンクでＯＦＤＭＡを採用し、アップリンクでＳＣ−ＦＤＭＡを採用する。
【００１４】
説明を明確にするために、３ＧＰＰ  ＬＴＥを主に記述するが、本発明の技術的思想は、これに制限されることではない。
【００１５】
図１は、無線通信システムを示す。
【００１６】
図１を参照すると、無線通信システム（１０）は、少なくとも一つの基地局（１１；Ｂａｓｅ  Ｓｔａｔｉｏｎ、ＢＳ）を含む。各基地局（１１）は、特定の地理的領域（一般的にセルという）（１５ａ、１５ｂ、１５ｃ）に対して通信サービスを提供する。また、セルは、複数の領域（セクタという）に分けることができる。端末（１２；Ｕｓｅｒ  Ｅｑｕｉｐｍｅｎｔ、ＵＥ）は、固定される、或いは移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。基地局（１１）は、一般的に、端末（１２）と通信する固定局（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００１７】
以下、ダウンリンク（ｄｏｗｎｌｉｎｋ、ＤＬ）は、基地局から端末への通信を意味して、アップリンク（ｕｐｌｉｎｋ、ＵＬ）は、端末から基地局への通信を意味する。ダウンリンクにおいて、送信機は基地局の一部分であり、受信機は端末の一部分である。アップリンクにおいて、送信機は端末の一部分であり、受信機は基地局の一部分である。
【００１８】
図２は、３ＧＰＰ  ＬＴＥにおける無線フレームの構造を示す。無線フレーム（ｒａｄｉｏ  ｆｒａｍｅ）は１０個のサブフレーム（ｓｕｂｆｒａｍｅ）で構成されて、一つのサブフレームは二つのスロット（ｓｌｏｔ）で構成される。無線フレーム内のスロットは、０から１９までのスロット番号が付けられる。一つのサブフレームの伝送にかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位である。例えば、  一つの無線フレームの長さは１０ｍｓであり、一つのサブフレームの長さは１ｍｓであり、一つのスロットの長さは０．５ｍｓである。
【００１９】
一つのアップリンクスロットは、時間領域（ｔｉｍｅ  ｄｏｍａｉｎ）で複数のＳＣ−ＦＤＭＡシンボルを含み（例えば、７個のＳＣ−ＦＤＭＡシンボル）、周波数領域（ｆｒｅｑｕｅｎｃｙ  ｄｏｍｅｉｎ）で複数のリソースブロック（ｒｅｓｏｕｒｃｅ  ｂｌｏｃｋ）を含む。ＳＣ−ＦＤＭＡシンボルは、一つのシンボル区間（ｓｙｍｂｏｌ  ｐｅｒｉｏｄ）を表現するためのものであり、システムに応じてＯＦＤＭＡシンボルまたはシンボル区間ということもできる。リソースブロックは、リソース割当単位であり、周波数領域で複数の副搬送波（例えば、１２個の副搬送波）を含む。アップリンクスロットに含まれるリソースブロックの数ＮＵＬは、セルで設定されるアップリンク送信帯域幅（ｂａｎｄｗｉｄｔｈ）によって決まる。
【００２０】
一つのダウンリンクスロットは、時間領域で複数のＯＦＤＭシンボルを含み（例えば、７個のＯＦＤＭシンボル）、周波数領域で複数のリソースブロックを含む。ダウンリンクスロットに含まれるリソースブロックの数ＮＤＬは、セルで設定されるダウンリンク送信帯域幅（ｂａｎｄｗｉｄｔｈ）によって決まる。
【００２１】
無線フレームの構造は例示に過ぎず、無線フレームに含まれるサブフレームの数、サブフレームに含まれるスロットの数、またはスロットに含まれるシンボルの数は多様に変更されることができる。
【００２２】
図３は、３ＧＰＰ  ＬＴＥにおけるダウンリンクサブフレームの構造の一例を示す。サブフレームは、２個の連続的な（ｃｏｎｓｅｃｕｔｉｖｅ）スロットを含む。ダウンリンクサブフレーム内の第１スロットの前方部の最大３個のＯＦＤＭシンボルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）が割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。制御領域には、ＰＤＣＣＨ以外にもＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ  ＡＲＱ  Ｉｎｄｉｃａｔｏ  ｒＣｈａｎｎｅｌ）などの制御チャネルが割り当てられることができる。端末は、ＰＤＣＣＨを介して送信される制御情報をデコーディングしてＰＤＳＣＨを介して送信されるデータ情報を読み込むことができる。ここで、制御領域が３個のＯＦＤＭシンボルを含むことは例示に過ぎない。サブフレーム内の制御領域が含むＯＦＤＭシンボルの数はＰＣＦＩＣＨを介して分かる。ＰＨＩＣＨは、アップリンク送信の応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。
【００２３】
ＰＤＣＣＨは、ＰＤＳＣＨ上のダウンリンク送信のリソース割当を知らせるダウンリンクグラントを運ぶ。より具体的に、ＰＤＣＣＨは、ＤＬ−ＳＣＨ（Ｄｏｗｎｌｉｎｋ  Ｓｈａｒｅｄ  Ｃｈａｎｎｅｌ）のリソース割当及び送信フォーマット、ＰＣＨ（Ｐａｇｉｎｇ  Ｃｈａｎｎｅｌ）上のページング情報、ＤＬ−ＳＣＨ上のシステム情報、ＰＤＳＣＨ上に送信されるランダムアクセス応答のような上位階層制御メッセージのリソース割当、送信パワー制御命令、ＶｏＩＰ（ｖｏｉｃｅ  ｏｖｅｒ  ＩＰ）の活性化などを運ぶことができる。また、ＰＤＣＣＨは、端末にアップリンク送信のリソース割当を知らせるアップリンクグラントを運ぶ。
【００２４】
図４は、３ＧＰＰ  ＬＴＥにおけるアップリンクサブフレーム構造の例を示す。
【００２５】
図４を参照すると、アップリンクサブフレームは、アップリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる制御領域（ｃｏｎｔｒｏｌ  ｒｅｇｉｏｎ）とユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域とに分けることができる。サブフレームの中間部分がＰＵＳＣＨに割り当てられて、データ領域の両側部分がＰＵＣＣＨに割り当てられる。ＳＣ−ＦＤＭＡでシングル搬送波特性を維持するために、一つの端末に、周波数領域において連続的なリソースブロックをリソースとして割り当てる。一つの端末は、ＰＵＣＣＨ及びＰＵＳＣＨを同時に送信することができない。
【００２６】
ＰＵＳＣＨは、送信チャネル（ｔｒａｎｓｐｏｒｔ  ｃｈａｎｎｅｌ）であるＵＬ−ＳＣＨ（ｕｐｌｉｎｋ  ｓｈａｒｅｄ  ｃｈａｎｎｅｌ）にマッピングされる。ＰＵＣＣＨ上で送信されるアップリンク制御情報としては、ＨＡＲＱの実行に使われるＡＣＫ／ＮＡＣＫ信号、ダウンリンクチャネル状態を示すＣＱＩ、アップリンク無線リソース割当要求であるスケジューリング要求（Ｓｃｈｅｄｕｌｉｎｇ  Ｒｅｑｕｅｓｔ、ＳＲ）などがある。
【００２７】
一つの端末に対するＰＵＣＣＨは、サブフレームにおいてリソースブロック対（ｐａｉｒ）に割り当てられて、リソースブロック対に属するリソースブロックは、二つのスロットの各々において相違する副搬送波を占める。これをＰＵＣＣＨに割り当てられるリソースブロック対がスロット境界（ｓｌｏｔ  ｂｏｕｎｄａｒｙ）で周波数ホッピング（ｆｒｅｑｕｅｎｃｙ  ｈｏｐｐｉｎｇ）されるという。ここでは、ｍ＝０であるＰＵＣＣＨ、ｍ＝１であるＰＵＣＣＨ、ｍ＝２であるＰＵＣＣＨ、ｍ＝３であるＰＵＣＣＨがサブフレームに割り当てられることを例示的に開示している。
【００２８】
ＣＱＩは、ダウンリンクチャネル状態を示すためのものである。ＣＱＩは、符号化率と変調方式との組合せで構成される複数の個体を含むＭＣＳ（Ｍｏｄｕｌａｔｉｏｎ  ａｎｄ  Ｃｏｄｉｎｇ  Ｓｃｈｅｍｅ）テーブルの各個体を示すＣＱＩインデックス及び／またはコードブック上のプリコーディング行列のインデックスであるＰＭＩ（Ｐｒｅｃｏｄｉｎｇ  Ｍａｔｒｉｘ  Ｉｎｄｅｘ）を含むことができる。ＣＱＩは、全体帯域に対するチャネル状態及び／または全体帯域のうち一部帯域に対するチャネル状態を示すことができる。
【００２９】
端末は、ＰＵＣＣＨ上にＣＱＩを周期的に送信することができる。端末は、ＣＱＩ情報ビットにチャネル符号化を実行して符号化されたＣＱＩビットを生成する。このとき、符号化されたＣＱＩビットの大きさは固定される。例えば、（２０、Ａ）ブロックコードを使用する場合、ＣＱＩ情報ビットの大きさに関係なしに常に２０ビットの符号化されたＣＱＩビットが生成される。ここで、Ａは、ＣＱＩ情報ビットの大きさである。符号化されたＣＱＩビットは、予め決まった変調方式に応じて変調されて変調シンボルが生成される。このとき、変調方式は、ＱＰＳＫ（ｑｕａｄｒａｔｕｒｅ  ｐｈａｓｅ  ｓｈｉｆｔ  ｋｅｙｉｎｇ）であってもよい。例えば、２０ビットの符号化されたＣＱＩビットは、ＱＰＳＫを介して１０個の変調されたシンボルが生成されることができる。変調されたシンボルは、端末に割り当てられたＰＵＣＣＨにマッピングされる。このように、チャネル符号化方式、変調方式などの送信フォーマットの固定された周期的ＣＱＩ送信フォーマットをＰＵＣＣＨベースの周期的ＣＱＩ送信フォーマットという。端末は、ＰＵＣＣＨベースの周期的ＣＱＩ送信フォーマットを使用してＰＵＳＣＨ上にも周期的ＣＱＩを送信することができる。このように、周期的ＣＱＩは、ＰＵＣＣＨベースの周期的ＣＱＩ送信フォーマットを使用する。従って、周期的ＣＱＩは、送信フォーマットが固定されており、送信できるＣＱＩ情報量が制限される。
【００３０】
ＣＱＩ送信の柔軟性（ｆｌｅｘｉｂｉｌｉｔｙ）を高めるために、ＣＱＩは、周期的送信外にも非周期的に送信される必要がある。非周期的にＣＱＩを送信するために、基地局は、端末にＣＱＩ報告指示だけでなく、ＣＱＩ送信のための無線リソース、変調方式、コーディング方式などの送信フォーマットを知らせるべきである。然しながら、非周期的ＣＱＩに対して周期的ＣＱＩ送信のように送信フォーマットを予め定めておく場合、無線通信の柔軟性を落とす。また、基地局が端末にＣＱＩに対して送信フォーマットを上位階層シグナリングによって知らせる場合、ＣＱＩ送信フォーマットをサブフレーム単位に変化させようとする場合、適切でない。また、非周期的ＣＱＩ送信のための制御情報フォーマットを新しく定める場合、新しい制御情報フォーマットの追加によってシステムのオーバーヘッドを増加させるため非効率的である。従って、アップリンクデータスケジューリングのための制御情報を用いて非周期的ＣＱＩ報告を指示することができる。
【００３１】
図５は、本発明の一実施例に係るＣＱＩ送信方法を示す。
【００３２】
図５を参照すると、アップリンク送信のために、まず、端末は、基地局にＰＵＣＣＨ上にスケジューリング要求を送信する（Ｓ１１０）。スケジューリング要求は、端末がアップリンク無線リソース割当を基地局に要求することであって、データ交換のための事前情報交換の一種である。基地局は、端末にスケジューリング要求に対する応答としてダウンリンクチャネル上にアップリンクグラントを送信する（Ｓ１２０）。ダウンリンクチャネルは、ＰＤＣＣＨであってもよい。端末は、基地局にアップリンクチャネル上にアップリンクグラントを用いてＣＱＩを送信する（Ｓ１３０）。このとき、アップリンクチャネルを介して送信ブロックは送信されない。アップリンクチャネルは。ＰＵＳＣＨであってもよい。ＰＤＣＣＨの送信されるサブフレームとＰＵＳＣＨの送信されるサブフレームとの関係は、基地局と端末との間に予め定めておくことができる。例えば、ＦＤＤ（Ｆｒｅｑｕｅｎｃｙ  Ｄｉｖｉｓｉｏｎ  Ｄｕｐｌｅｘ）システムにおいてＰＤＣＣＨがｎ番目のサブフレームを介して送信されれば、ＰＵＳＣＨは、ｎ＋４番目のサブフレームを介して送信されることができる。
【００３３】
アップリンクグラントは、ＣＱＩ報告如何を指示するＣＱＩ報告インジケータ（ＣＱＩ  ｒｅｐｏｒｔ  ｉｎｄｉｃａｔｏｒ）、無線リソースを割り当てるリソース割当フィールド及び送信フォーマットフィールドを含む。アップリンクグラントは、この以外にもアップリンクグラントと他の制御情報を区別するフラッグ（ｆｌａｇ）フィールド、ＰＵＳＣＨの周波数ホッピング（ｆｒｅｑｕｅｎｃｙ  ｈｏｐｐｉｎｇ）如何を指示するホッピングフラッグフィールド、アップリンクデータの新しい送信であるか或いは再送信であるかを指示するＮＤＩ（Ｎｅｗ  Ｄａｔａ  Ｉｎｄｉｃａｔｏｒ）フィールド、アップリンク電力制御のためのＴＰＣ（Ｔｒａｎｓｍｉｔ  Ｐｏｗｅｒ  Ｃｏｎｔｒｏｌ）命令フィールド、復調（ｄｅｍｏｄｕｌａｔｉｏｎ）のための参照信号（ｒｅｆｅｒｅｎｃｅ  ｓｉｇｎａｌ）の循環シフト（ｃｙｃｌｉｃ  ｓｈｉｆｔ）を指示する循環シフトフィールドなどをさらに含むことができる。
【００３４】
アップリンクグラントは、アップリンクデータスケジューリングのための制御情報である。一般的に、端末は、アップリンクグラントを用いてＰＵＳＣＨ上にアップリンクデータを送信する。アップリンクデータは、ＴＴＩ中に送信されるＵＬ−ＳＣＨのためのデータブロックである送信ブロック（ｔｒａｎｓｐｏｒｔ  ｂｌｏｃｋ）であってもよい。アップリンクグラントが特定条件を満たす場合、端末は、ＰＵＳＣＨ上にアップリンクデータを送信せず、ＣＱＩを送信する。以下、ＰＵＳＣＨ上にＣＱＩが送信される特定条件を説明する。
【００３５】
ＣＱＩ報告インジケータは、ＣＱＩ報告を指示する。例えば、ＣＱＩ報告インジケータが‘１’ならば、基地局は端末にＣＱＩ報告を指示することを意味し、ＣＱＩ報告インジケータが‘０’ならば、基地局は端末にＣＱＩ報告を指示しないことを意味する。このように、ＣＱＩ報告インジケータは１ビットで充分である。従って、アップリンクグラントがＣＱＩ報告インジケータを含むとしても、アップリンクグラントのオーバーヘッドはほぼ増加されない。
【００３６】
リソース割当フィールドは、ＣＱＩ送信のための無線リソースを割り当てる。リソース割当フィールドが割り当てる無線リソースはリソースブロックであってもよい。端末は、リソース割当フィールドを用いてＣＱＩ送信に割り当てられたリソースブロックの位置、ＣＱＩ報告に使われるリソースブロックの個数などが分かる。リソース割当フィールドがアップリンクデータ送信のための無線リソースを割り当てる場合、割り当てられるリソースブロックの個数はＮＵＬまで可能である。それに比べて、ＣＱＩ送信に割り当てられる無線リソースの大きさは、閾値以下に制限することができる。ＭＩＭＯ（Ｍｕｌｔｉｐｌｅ  Ｉｎｐｕｔ  Ｍｕｌｔｉｐｌｅ  Ｏｕｔｐｕｔ）を考慮する場合、ＣＱＩ送信に４リソースブロック程度が必要である。従って、閾値は４にすることができる。
【００３７】
送信フォーマットフィールドは、ＣＱＩに対する送信フォーマットを指示する。送信フォーマットは、変調方式、チャネル符号化方式などになることができる。送信フォーマットフィールドの値は、送信フォーマットテーブルから選択される一つの特定ＭＣＳインデックスである。送信フォーマットテーブルは、アップリンクデータに使われるＭＣＳインデックスの集合である。ＣＱＩに対する変調方式はＱＰＳＫであってもよい。基地局及び端末は、事前協議された送信フォーマットテーブルを使用する。送信フォーマットテーブルのＭＣＳインデックスの各々は、アップリンクデータに対する変調方式、アップリンクデータの大きさ決定に用いられるＴＢＳ（Ｔｒａｎｓｐｏｒｔ  ｂｌｏｃｋ  ｓｉｚｅ）インデックス、アップリンクデータに対するチャネル符号化に用いられるリダンダンシーバージョン（ｒｅｄｕｎｄａｎｃｙ  ｖｅｒｓｉｏｎ）に対応されることができる。リダンダンシーバージョンは、マザーコード（ｍｏｔｈｅｒ  ｃｏｄｅ）からレートマッチングを実行してレートマッチングされたビットを生成する時、マザーコードの開始点を指示する。マザーコードは、情報ビットにチャネル符号化を実行して生成されたビットである。ＣＱＩ送信のための送信フォーマットフィールドの特定値は、変調方式及びＴＢＳインデックスが指定されない未指定（ｒｅｓｅｒｖｅｄ）ＭＣＳインデックスであってもよい。
【００３８】
次の表は、送信フォーマットテーブルの一例を示す。
【００３９】
【表１】
2011510592.tif 000003
【００４０】
送信フォーマットテーブルは、ＭＣＳインデックスに応じて変調方式を指示する変調次数（ｍｏｄｕｌａｔｉｏｎ  ｏｒｄｅｒ）、ＴＢＳインデックス、リダンダンシーバージョンが特定される。ここで、変調次数２はＱＰＳＫ、変調次数４は１６ＱＡＭ（Ｑｕａｄｒａｔｕｒｅ  Ａｍｐｌｉｔｕｄｅ  Ｍｏｄｕｌａｔｉｏｎ）、変調次数６は６４ＱＡＭを意味する。表１のように、ＭＣＳインデックスが０から３１までの整数である場合、送信フォーマットフィールドの大きさは５ビットであってもよい。表１において、ＣＱＩ送信のための送信フォーマットフィールドの特定ＭＣＳインデックスは２９である。ＭＣＳインデックスが２９の場合、変調方式及びＴＢＳインデックスは指定されず、リダンダンシーバージョンは１である。
【００４１】
このように、アップリンクグラントのＣＱＩ報告インジケータがＣＱＩ報告を指示して、送信フォーマットフィールドがＵＬ−ＳＣＨのための送信ブロックに使われるＭＣＳインデックスの集合である送信フォーマットテーブルから選択される一つの特定ＭＣＳインデックスを指示する場合、端末は、基地局に前記アップリンクグラントを用いてＣＱＩを送信する。アップリンクデータスケジューリングのためのアップリンクグラントを非周期的ＣＱＩ指示に用いることによって非周期的ＣＱＩのための制御情報フォーマットを新しく追加する必要がない。アップリンクグラントにＣＱＩ報告インジケータのみを追加すればいいため、システムオーバーヘッドを増加させない長所がある。
【００４２】
図６は、本発明の他の実施例に係るＣＱＩ送信方法を示す。
【００４３】
図６を参照すると、基地局は端末にＰＤＣＣＨ上に非周期的ＣＱＩ報告に対するアップリンクグラントを送信する（Ｓ２１０）。非周期的ＣＱＩ報告に対するアップリンクグラントは、ＣＱＩ報告インジケータが‘１’であり、送信フォーマットフィールドのＭＣＳインデックスは‘２９’であり、リソース割当フィールドが指示するＣＱＩ報告に使われるリソースブロックの個数は４以下である。端末は、アップリンクグラントを用いてＣＱＩのためのＰＵＳＣＨを形成する（Ｓ２２０）。このとき、ＰＵＳＣＨには送信ブロックは含まれない。端末は、基地局にＰＵＳＣＨ上にＣＱＩを送信する（Ｓ２３０）。
【００４４】
このように、アップリンクグラントのＣＱＩ報告インジケータがＣＱＩ報告を指示して、送信フォーマットフィールドがＵＬ−ＳＣＨのための送信ブロックに使われるＭＣＳインデックスの集合である送信フォーマットテーブルから選択される一つの特定ＭＣＳインデックスを指示して、ＣＱＩ報告に使われるリソースブロックの個数を指示するリソース割当フィールドが閾値以下の値を有する場合、端末は、基地局に前記アップリンクグラントを用いてＣＱＩを送信することができる。アップリンクグラントの含む複数の情報フィールドの各々が特定条件を満たす場合にのみ端末が送信ブロックを送信せずにＣＱＩを送信するようにすることによって、非周期的ＣＱＩ送信の信頼性を高めることができる。これによって無線通信の信頼度を高めることができて、全体システム性能を向上させることができる。
【００４５】
図７は、非周期的ＣＱＩ生成方法の例を示す。
【００４６】
図７を参照すると、段階Ｓ２１０において、端末は、ＣＱＩ情報ビットにチャネル符号化を実行して符号化されたビットを生成する。例えば、チャネル符号化方式は、符号化率１／３のＴＢＣＣ（Ｔａｉｌ  Ｂｉｔｉｎｇ  Ｃｏｎｖｏｌｕｔｉｏｎａｌ  Ｃｏｄｉｎｇ）であってもよい。段階Ｓ２２０において、端末は、アップリンクグラントを介して割り当てられた無線リソースの大きさに合わせて符号化されたビットにレートマッチングを実行してレートマッチングされたビットを生成する。段階Ｓ２３０において、端末は、レートマッチングされたビットを変調して変調されたシンボルを生成する。例えば、変調方式は、ＱＰＳＫであってもよい。段階Ｓ２４０において、端末は、アップリンクグラントを介して割り当てられた無線リソースに変調されたシンボルをマッピングする。
【００４７】
図８は、周期的ＣＱＩ送信フォーマットと非周期的ＣＱＩ送信フォーマットとの差を示す。端末は、４個のリソースブロック（ＲＢ１，．．．，ＲＢ４）をＣＱＩ送信のために割当を受けたと仮定する。周期的ＣＱＩ送信フォーマットの場合、ＣＱＩ情報ビットを（２０、Ａ）ブロックコードを使用してチャネル符号化して、ＱＰＳＫを使用して変調する。従って、２０ビットの符号化されたＣＱＩビットを生成して、１０個の変調されたシンボルが生成される。１０個の変調されたシンボルは、一つのリソースブロックにのみマッピングされる。この場合、３個のリソースブロックは使用しないようになって、限定された無線リソースを非効率的に使用するようになる。非周期的ＣＱＩ送信フォーマットは、４個のリソースブロックに合わせてチャネル符号化を実行する。従って、割当を受けた無線リソースを效率的に用いてＣＱＩを送信することができる。
【００４８】
図９は、無線通信のための装置を示すブロック図である。この無線通信のための装置（５０）は、端末の一部であってもよい。無線通信のための装置（５０）は、プロセッサ（ｐｒｏｃｅｓｓｏｒ、５１）、メモリ（ｍｅｍｏｒｙ、５２）、ＲＦ部（Ｒａｄｉｏ  Ｆｒｅｑｕｅｎｃｙ  ｕｎｉｔ、５３）、ディスプレー部（ｄｉｓｐｌａｙ  ｕｎｉｔ、５４）、ユーザインターフェース部（ｕｓｅｒ  ｉｎｔｅｒｆａｃｅ  ｕｎｉｔ、５５）を含む。ＲＦ部（５３）は、プロセッサ（５１）と連結されて、無線信号（ｒａｄｉｏ  ｓｉｇｎａｌ）を送信及び／または受信する。メモリ（５２）は、プロセッサ（５１）と連結されて、駆動システム、アプリケーション及び一般的なファイルを格納する。ディスプレー部（５４）は、端末の多様な情報をディスプレーして、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）等、よく知られた要素を使用することができる。ユーザインターフェース部（５５）は、キーパッドやタッチスクリーンなど、よく知られたユーザインターフェースの組合せて構成されることができる。プロセッサ（５１）は、ＡＭＣをサポートする。プロセッサ（５１）は、ＰＵＣＣＨまたはＰＵＳＣＨを構成して、ＣＱＩを生成することができる。前述したＣＱＩ送信方法に対する実施例は、プロセッサ（５１）によって実行されることができる。
【００４９】
本発明は、ハードウェア、ソフトウェアまたはこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御機、マイクロ・プロセッサ、他の電子ユニットまたはこれらの組合せで具現されることができる。ソフトウェア具現において、前述した機能を遂行するモジュールで具現されることができる。ソフトウェアは、メモリユニットに格納されることができて、プロセッサによって実行される。メモリユニットやプロセッサは、当業者によく知られた多様な手段を採用することができる。
【００５０】
以上、本発明に対して実施例を参照して説明したが、該当技術分野の通常の知識を有する者は、本発明の技術的思想及び領域から外れない範囲内で本発明を多様に修正及び変更させて実施できることを理解することができる。従って、前述した実施例に限定されることではなく、本発明は、特許請求の範囲内の全ての実施例を含む。
【図１】
2011510592.tif 000004
【図２】
2011510592.tif 000005
【図３】
2011510592.tif 000006
【図４】
2011510592.tif 000007
【図５】
2011510592.tif 000008
【図６】
2011510592.tif 000009
【図７】
2011510592.tif 000010
【図８】
2011510592.tif 000011
【図９】
2011510592.tif 000012
【国際調査報告】
2011510592.tif 000013
2011510592.tif 000014
2011510592.tif 000015
2011510592.tif 000016